(57)【特許請求の範囲】
【請求項１】
部屋のドア毎に設けられた錠を解錠及び施錠するために用いる鍵と、
前記各鍵に取り付けられ、固有の鍵番号を記憶するＩＣチップと、
前記各部屋のドア付近に配置され、前記ＩＣチップから鍵番号を読み取るとともに、当該鍵番号に部屋番号を付加してネットワークに送信する読取装置と、
前記各読取装置からネットワークを介して受信した鍵番号及び部屋番号に基づいて、各部屋の間取り図に鍵の所在を表示する管理装置と、を備え、
前記管理装置は、
前記ネットワークが通信可能状態である場合に、前記各読取装置から受信した鍵番号及び部屋番号に受信時刻を付加して受信履歴データとして記憶する受信履歴記憶手段と、
交流電源が停電した場合に直流電力を供給するバッテリと、
前記停電中に前記ネットワークが通信不能状態になった場合に、鍵番号を入力する入力手段と、
前記入力手段により入力された鍵番号に基づいて、前記受信履歴データから最新の当該鍵番号に係わる鍵が所在する部屋番号を検索する検索手段と、を備え、
前記各読取装置は、
表示部と、
交流電源が停電した場合に直流電力を供給するバッテリと、
前記停電中に前記ネットワークが通信不能状態になった場合に、前記ＩＣチップから鍵番号を読み取ったときに、当該鍵番号に読取時刻を付加して履歴データとして記憶する履歴記憶手段と、
前記停電中に、前記履歴記憶手段から取得した履歴データに含まれる鍵番号および読取時刻を前記表示部に表示するように制御する制御手段と、を備えたことを特徴とする鍵探知システム。
【請求項２】
前記管理装置は、
制御手段を備え、
前記制御手段は、前記間取り図中の当該鍵番号に係わる鍵が所在する部屋に所在状態を表すマークを表示するように制御することを特徴とする請求項１記載の鍵探知システム。
【請求項３】
前記管理装置は、
前記各読取装置から受信した鍵番号及び部屋番号に基づいて、ある部屋に当該部屋の鍵が入室した状態である場合に、当該部屋の鍵が他の部屋に入室した状態に変更されたときに、当該部屋にある前記読取装置が読取異常状態であると判定する異常状態判定手段と、
前記間取り図中の前記読取異常状態である部屋に読取異常状態を表すマークを表示するように制御する制御手段と、を備えたことを特徴とする請求項１記載の鍵探知システム。
【請求項４】
前記管理装置は、前記異常状態判定手段が前記読取異常状態であると判定した場合に、前記読取装置に異常信号を送信する送信手段を備え、
前記読取装置は、前記管理装置から異常信号を受信したときに、当該装置が読取異常状態にあることを報知する報知手段を備えることを特徴とする請求項３記載の鍵探知システム。
【請求項５】
前記管理装置は、前記異常状態判定手段が前記読取異常状態から正常状態に復帰したと判定した場合に、前記読取装置に正常信号を送信する送信手段を備え、
前記読取装置は、前記管理装置から正常信号を受信したときに、前記報知を停止することを特徴とする請求項４記載の鍵探知システム。
【請求項６】
前記管理装置は、前記異常状態判定手段により前記読取装置が読取異常状態であると判定された場合に、前記読取装置が異常状態になった回数値を計数する計数手段を備え、
前記制御手段は、前記回数値が所定の基準値を超えた場合に、前記読取装置の読取能力を１段階広く設定する旨のメッセージを表示することを特徴とする請求項３記載の鍵探知システム。
【発明の詳細な説明】
【技術分野】
【０００１】
本発明は、鍵の移動先を検知するのに好適な鍵探知システムに関する。
【背景技術】
【０００２】
従来、原子力発電所などの防護が必要な施設において、施設内の日々のパトロールでは、所員が多数の鍵を持ち歩く必要がある。また、鍵の紛失等管理に注意を払う必要があり、鍵を紛失した場合は、所員の行動経路を辿って探し出す必要があり、他の業務に支障が出る恐れがある。
一方、福島第一原子力発電所において発生した事故での教訓も踏まえて、災害等発生時には、現場運転員の所在の確認、安否確認等、迅速な救助が求められている。
このような問題の解決手法の一つとして、特許文献１に記載された「紛失物検索システム」が開示されている。
【０００３】
特許文献１には、捜索対象の物品の探索を支援する目的とし、第１の通信部を有し、物品の所有者が所持する所有者端末と、物品に装着され、第２の通信部と自己の位置を検出する位置情報検出部（ＧＰＳ機能）とを有し、第２の通信部における着信に応答して現在位置情報を取得し相手方に返信する紛失物発見装置と、第１の通信部及び第２の通信部とネットワークを介して接続可能な第３の通信部を有し、所有者端末より登録されるとその物品に対してユニークに付与され所有者端末より参照可能な所有物番号と、所有者端末及び紛失物発見装置へのアクセス先と、を含む所有者情報を格納する所有者情報データベースを管理する紛失物管理センタと、を有するという技術が開示されている。
特許文献１によれば、物を紛失した場合であっても、紛失物の現在位置を把握できるため、あいまいな記憶や勘のみを頼りとすることなく、より簡単でかつ確実に紛失物を探し出すことができるという利点を有している。
【先行技術文献】
【特許文献】
【０００４】
【特許文献１】特開２００８−１０９４４２公報
【発明の概要】
【発明が解決しようとする課題】
【０００５】
しかしながら、特許文献１にあっては、位置情報検出部としてＧＰＳ機能を利用できない施設内では、紛失物発見装置そのものが使用できず、また、停電中にＬＡＮ等のネットワークが通信不能状態になった場合に、紛失物発見装置へ通信接続（アクセス）ができないため、紛失物を発見することができないといった問題があった。
本発明は、上記に鑑みてなされたもので、その目的は、停電中にネットワークが通信不能状態になった場合でも、鍵の移動先を検知することにある。
【課題を解決するための手段】
【０００６】
請求項１記載の発明は、上記課題を解決するため、部屋のドア毎に設けられた錠を解錠及び施錠するために用いる鍵と、前記各鍵に取り付けられ、固有の鍵番号を記憶するＩＣチップと、前記各部屋のドア付近に配置され、前記ＩＣチップから鍵番号を読み取るとともに、当該鍵番号に部屋番号を付加してネットワークに送信する読取装置と、前記各読取装置からネットワークを介して受信した鍵番号及び部屋番号に基づいて、各部屋の間取り図に鍵の所在を表示する管理装置と、を備え、前記管理装置は、前記ネットワークが通信可能状態である場合に、前記各読取装置から受信した鍵番号及び部屋番号に受信時刻を付加して受信履歴データとして記憶する受信履歴記憶手段と、交流電源が停電した場合に直流電力を供給するバッテリと、前記停電中に前記ネットワークが通信不能状態になった場合に、鍵番号を入力する入力手段と、前記入力手段により入力された鍵番号に基づいて、前記受信履歴データから最新の当該鍵番号に係わる鍵が所在する部屋番号を検索する検索手段と、を備え、前記各読取装置は、表示部と、交流電源が停電した場合に直流電力を供給するバッテリと、前記停電中に前記ネットワークが通信不能状態になった場合に、前記ＩＣチップから鍵番号を読み取ったときに、当該鍵番号に読取時刻を付加して履歴データとして記憶する履歴記憶手段と、前記停電中に、前記履歴記憶手段から取得した履歴データに含まれる鍵番号および読取時刻を前記表示部に表示するように制御する制御手段と、を備えたことを特徴とする。
【発明の効果】
【０００７】
本発明によれば、停電中にネットワークが通信不能状態になった場合でも、鍵の移動先を検知することができる。
【図面の簡単な説明】
【０００８】
【図１】本発明の第１実施形態に係る鍵探知システムの基本構成を示すブロック図である。
【図２】（ａ）〜（ｄ）は、本発明の第１実施形態に係るＩＣチップ読取装置の外観を示す図である。
【図３】本発明の第１実施形態に係るＩＣチップ読取装置のブロック図である。
【図４】本発明の第１実施形態に係る鍵情報管理装置のブロック図である。
【図５】本発明の第１実施形態に係る鍵情報管理装置の動作を表すメインフローチャートである。
【図６】本発明の第１実施形態に係る鍵情報管理装置のキー＃Ｋｉ入退室管理処理について説明するためのサブルーチンフローチャートである。
【図７】本発明の第１実施形態に係る鍵情報管理装置の受信処理について説明するためのサブルーチンフローチャートである。
【図８】（ａ）は各時刻における部屋に実際にある鍵を表で示す図あり、（ｂ）は履歴記憶部４６に記憶されている受信データを表す履歴データを示す図である。
【図９】（ａ）（ｂ）（ｃ）は各時刻における部屋のＩＣチップ読取装置の正常状態／異常状態を示す表示例を示す図である。
【図１０】本発明の第２実施形態に係る鍵情報管理装置の動作を表すメインフローチャートである。
【図１１】本発明の第２実施形態に係る鍵情報管理装置のキー＃Ｋｉ入退室管理処理を表すサブルーチンフローチャートである。
【図１２】本発明の第３実施形態に係る鍵情報管理装置の動作を表すフローチャートである。
【図１３】本発明の第３実施形態に係る鍵情報管理装置の入退室表示例を示す図である。
【図１４】本発明の第３実施形態に係るＩＣチップ読取装置の動作を表すフローチャートである。
【図１５】本発明の第４実施形態に係る入退室時の履歴データを表す表示例を示す図である。
【発明を実施するための形態】
【０００９】
以下、本発明を図面に示した実施の形態により詳細に説明する。
本発明は、停電中にネットワークが通信不能状態になった場合でも、鍵の移動先を検知するために、以下の構成を有する。
すなわち、本発明の鍵探知システムは、部屋のドア毎に設けられた錠を解錠及び施錠するために用いる鍵と、各鍵に取り付けられ、固有の鍵番号を記憶するＩＣチップと、各部屋のドア付近に配置され、ＩＣチップから鍵番号を読み取るとともに、当該鍵番号に部屋番号を付加してネットワークに送信する読取装置と、各読取装置からネットワークを介して受信した鍵番号及び部屋番号に基づいて、各部屋の間取り図に鍵の所在を表示する管理装置と、を備え、管理装置は、前記ネットワークが通信可能状態である場合に、各読取装置から受信した鍵番号及び部屋番号に受信時刻を付加して受信履歴データとして記憶する受信履歴記憶手段と、交流電源が停電した場合に直流電力を供給するバッテリと、停電中にネットワークが通信不能状態になった場合に、鍵番号を入力する入力手段と、入力手段により入力された鍵番号に基づいて、受信履歴データから最新の当該鍵番号に係わる鍵が所在する部屋番号を検索する検索手段と、を備え、制御手段は、間取り図中の当該鍵番号に係わる鍵が所在する部屋に所在状態を表すマークを表示するように制御することを特徴とする。
以上の構成を備えることにより、停電中にネットワークが通信不能状態になった場合でも、鍵の移動先を検知することができる。
上記の本発明の特徴に関して、以下、図面を用いて詳細に説明する。
【００１０】
本発明の実施形態について、図面を参照して説明する。
＜第１実施形態＞
図１を参照して、本発明の第１実施形態に係る鍵探知システムの構成について説明する。図１は、本発明の第１実施形態に係る鍵探知システムの基本構成を示すブロック図である。
【００１１】
＜システム構成＞
鍵探知システム１は、キー１０（＃１〜＃６）、ＩＣチップ読取装置２０（＃１〜＃６）、鍵情報管理装置６０、及びネットワークＮを備えている。
キー１０−１〜１０−６（＃１〜＃６）は、複数の部屋のドア毎に設けられた錠を解錠及び施錠するために用い、各キーには固有のキー番号を記憶するＩＣチップ１２−１〜１２−６（＃１〜＃６）が取り付けられている。ＩＣチップ１２−１〜１２−６は、特定の周波数（例えば、１３．５６ＭＨｚ）の電磁波を受け取ると、電磁波から電力を取得して内部電源とし、内部電源が供給されている間にキー番号＃１〜＃６を含む電磁波を発生して周囲に送信する。
ＩＣチップ読取装置２０−１〜２０−６（＃１〜＃６）は、各部屋の室内側のドア付近に配置され、ＩＣチップ１２−１〜１２−６からキー番号を読み取るとともに、当該キー番号に部屋番号を付加してネットワークＮに送信する。
【００１２】
鍵情報管理装置６０は、ＩＣチップ読取装置２０−１〜２０−６からネットワークＮを介して受信したキー番号及び部屋番号に基づいて、各部屋の間取り図にキーの所在を表示部５２に表示する。なお、鍵情報管理装置６０は、デスクトップ型パソコン、ノート型パソコン、タブレット型パソコン等でもよい。
なお、上述したキー（＃Ｋ１〜＃Ｋ６）、ＩＣチップ（＃１〜＃６）、ＩＣチップ読取装置（＃１〜＃６）の夫々の個数は、部屋（＃Ｒ１〜＃Ｒ６）の室数に対応しており、必要に応じた任意の個数であってもよい。なお、キー、ＩＣチップ、ＩＣチップ読取装置の個数は例示であり、本発明はこれに限定されない。
また、本実施形態では、キー番号として＃Ｋ１〜＃Ｋ６を用いて説明するが、キー番号は管理上用いる通し番号であってもよく、またキーの製造番号であってもよい。
【００１３】
＜ＩＣチップ読取装置＞
図２（ａ）〜（ｄ）を参照して、本発明の第１実施形態に係るＩＣチップ読取装置の外観について説明する。図２（ａ）〜（ｄ）は、本発明の第１実施形態に係るＩＣチップ読取装置の外観を示す図であり、（ａ）は正面図、（ｂ）は上面図、（ｃ）は底面図、（ｄ）は側面図である。
ＩＣチップ読取装置２０の正面には、表示部２２、レンジ変更ＳＷ２４、ブザー２６が設けられ、上面には、送信アンテナ２８、受信アンテナ３０が設けられ、底面には、電源端子３２（充電端子）、通信端子３４が設けられ、側面には電源スイッチ３６が設けられている。
【００１４】
図３を参照して、本発明の第１実施形態に係るＩＣチップ読取装置の各機能について説明する。図３は、本発明の第１実施形態に係るＩＣチップ読取装置のブロック図である。
ＩＣチップ読取装置２０は、電磁波発信部３８、送信アンテナ２８、受信アンテナ３０、データ受信部４０、表示部２２、制御部４２、タイマ４４、履歴記憶部４６、通信部４８、電源部５０、レンジ変更ＳＷ２４を備えている。
電磁波発信部３８は、特定の周波数（例えば、１３．５６ＭＨｚ）の電磁波を発振して送信アンテナ２８から周囲に送信する。
【００１５】
データ受信部４０は、受信アンテナ３０を介して受信した電磁波を検波してＯＮ／ＯＦＦ信号に変換し、さらにＯＮ／ＯＦＦのパターンに基づいてデータを復調する。データ受信部４０は、ＩＣチップからキー番号を含む電磁波を受信した場合、そのキー番号を制御部４２に出力する。
表示部２２は、制御部４２がＩＣチップ１２から取得したキー番号を表示する。
制御部４２は、ＣＰＵ、ＲＯＭ、ＲＡＭ、タイマを備え、ＣＰＵがＲＯＭからオペレーティングシステムＯＳを読み出してＲＡＭ上に展開してＯＳを起動し、ＯＳ管理下において、ＲＯＭからプログラムを読み出し、定期的にデータ読取処理を実行する。
制御部４２は、ＩＣチップ１２から取得したキー番号を表示部２２に表示する。制御部４２は、キー番号にＲＯＭから読み出した部屋番号を付加し、通信部４８からネットワークＮを介して鍵情報管理装置６０に送信する。
【００１６】
タイマ４４は、時間を計時して必要に応じて現在の時刻ｔを出力する。
履歴記憶部４６は、データ（＃Ｋ，＃Ｒ，ｔ）を履歴情報として記憶する。
通信部４８は、ネットワークＮを介して鍵情報管理装置６０との間でデータ通信を行う。
電源部５０は、商用交流電源ＡＣ１を整流して得られた直流電力、又はバッテリＢｔ１からの直流電力を装置内に供給する。
レンジ変更ＳＷ２４は、送信アンテナ２８から送信された電磁波が到達してＩＣチップ１２からキー番号を返信することができる距離として、近距離（〜３ｍ）、中距離（〜１０ｍ）、遠距離（〜１５ｍ）というレンジ切り替えを可能にする。
ブザー５１は、制御部４２からの異常信号に応じて報知音を発生する。
【００１７】
＜ＩＣチップ読取装置の動作＞
図３を参照して、ＩＣチップ読取装置２０の動作について説明する。
電源部５０に商用交流電源が供給されている場合は、交流電力ＡＣ１を用いて装置内に電力を供給する。一方、商用交流電源ＡＣ１が供給されていない場合、すなわち、停電時または携帯時には、バッテリＢｔ１からの直流電力を用いて装置内に電力を供給する。
電磁波発信部３８は、特定の周波数の電磁波を発振して送信アンテナ２８から周囲エリアに送信する。
送信アンテナ２８の周囲エリアにＩＣチップ１２が装着されたキー１０がある場合、ＩＣチップ１２は、特定の周波数の電磁波を受け取ると、電磁波から電力を取得して内部電源とし、内部電源が供給されている間にキー番号＃１〜＃６を含む電磁波を発生して周囲に送信する。
【００１８】
データ受信部４０は、ＩＣチップ１２から受信アンテナ３０を介して受信した電磁波を検波してＯＮ／ＯＦＦ信号に変換し、さらにＯＮ／ＯＦＦパターンに基づいてデータを復調する。データ受信部４０は、ＩＣチップ１２からキー番号を含む電磁波を受信した場合、そのキー番号を制御部４２に出力する。
制御部４２は、ＩＣチップ１２から取得したキー番号を表示部２２に表示する。次に、制御部４２は、キー番号にＲＯＭ６６ｂから読み出した部屋番号を付加し、通信部４８からネットワークＮを介して鍵情報管理装置６０に送信する。
【００１９】
＜鍵情報管理装置＞
図４を参照して、本発明の第１実施形態に係る鍵情報管理装置の各機能について説明する。図４は、本発明の第１実施形態に係る鍵情報管理装置のブロック図である。
鍵情報管理装置６０は、通信部６２、操作部６４、制御部６６、表示制御部６８、表示部５２、電源部７０を備えている。
通信部６２は、ネットワークＮを介して各ＩＣチップ読取装置２０との間でデータ通信を行う。
操作部６４は、処理を終了するための終了ボタン、キー番号を入力するためのテンキーを備え、操作に応じて入力される情報を制御部６６に出力する。
制御部６６は、ＣＰＵ６６ａ、ＲＯＭ６６ｂ、ＲＡＭ６６ｃ、タイマ６６ｄを備え、ＣＰＵ６６ａがＲＯＭ６６ｂからオペレーティングシステムＯＳを読み出してＲＡＭ６６ｃ上に展開してＯＳを起動し、ＯＳ管理下において、ＲＯＭ６６ｂからプログラムを読み出し、データ収集処理を実行する。
表示制御部６８は、制御部６６から出力される画像データをＶＲＡＭ空間に描画する。
表示部５２は、表示制御部６８から出力される画像を表示する。
電源部７０は、商用交流電源ＡＣ２を整流して得られた直流電力、又はバッテリＢｔ２からの直流電力を装置内に供給する。
【００２０】
＜メインフローチャート＞
図５を参照して、本発明の第１実施形態に係る鍵情報管理装置の動作について説明する。図５は、本発明の第１実施形態に係る鍵情報管理装置の動作を表すメインフローチャートである。
ステップＳ１０では、制御部６６は、初期化処理としてＲＡＭ６６ｃ、タイマ６６ｄをクリアする。
ステップＳ２０では、制御部６６は、キー＃Ｋ１〜＃Ｋｎ入退室管理処理のサブルーチン（図６）をコールして実行する。なお、ステップＳ２０では並列処理を実行する。
ステップＳ３０では、制御部６６は、操作部６４を介して終了ボタンの押し下げを検出することで、処理を終了するか否かを判断する。ユーザによる操作がなく、処理を継続する場合はステップＳ２０に戻る。
【００２１】
＜キー＃Ｋｉ入退室管理処理＞
図６を参照して、本発明の第１実施形態に係るキー＃Ｋｉ入退室管理処理について説明する。図６は、本発明の第１実施形態に係る鍵情報管理装置のキー＃Ｋｉ入退室管理処理について説明するためのサブルーチンフローチャートである。
ステップＳ１００では、制御部６６は、受信処理を行うサブルーチン（図７）をコールして実行する。
ステップＳ１０５では、制御部６６は、部屋＃Ｒｉにキー＃Ｋｉが入室か否かを判断する。ここで、部屋＃Ｒｉにキー＃Ｋｉが入室した場合はステップＳ１１０に進む。一方、部屋＃Ｒｉにキー＃Ｋｉが入室していない場合はステップＳ１００に戻る。
ステップＳ１１０では、制御部６６は、部屋＃Ｒｉに入室したことを表す「●」マークを表示制御部６８を介して表示部５２に表示する。
【００２２】
ステップＳ１１５では、制御部６６は、受信処理を行うサブルーチン（図７）をコールして実行する。
ステップＳ１２０では、制御部６６は、部屋＃Ｒｉからキー＃Ｋｉが退室か否かを判断する。部屋＃Ｒｉからキー＃Ｋｉが退室した場合はステップＳ１２５に進む。一方、部屋＃Ｒｉからキー＃Ｋｉが退室していない場合はステップＳ１３０に進む。
ステップＳ１２５では、制御部６６は、部屋＃Ｒｉから退室したことを表す「○」マークを表示制御部６８を介して表示部５２に表示し、メインルーチンに復帰する。
【００２３】
ステップＳ１３０では、制御部６６は、他の部屋＃Ｒｊにキー＃Ｋｉが入室か否かを判断する。他の部屋＃Ｒｊにキー＃Ｋｉが入室した場合にはステップＳ１３５に進む。一方、他の部屋＃Ｒｊにキー＃Ｋｉが入室していない場合はステップＳ１１５に戻る。
ステップＳ１３５では、制御部６６は、部屋＃Ｒｉに読み取り異常状態を表すために、「●」マークを表示制御部６８を介して表示部５２に点滅表示する。
なお、本実施形態では、表示部５２に「○」マークの表示、「●」マークの表示、両者の交互点滅表示を行って読み取り状態を表現したが、「●」マークの表示色を変更することで読み取り状態を表現してもよいし、異なる符号や記号を用いて読み取り状態を表現してもよい。
【００２４】
ステップＳ１４０では、制御部６６は、部屋＃ＲｉのＩＣチップ読取装置２０（＃Ｒｉ）に読み取り異常を表す異常信号を送信する。鍵情報管理装置６０から異常信号を受信したＩＣチップ読取装置２０（＃Ｒｉ）は、異常信号をブザー５１に出力して報知音を発生させる。所員は他の部屋＃Ｒｊにキー＃Ｋｉを所持したまま入室したことに気付くことができる。
このように、ＩＣチップ読取装置２０が異常状態にあることをブザー５１からの報知音により確認することができる。
【００２５】
ステップＳ１４５では、制御部６６は、受信処理を行うサブルーチン（図７）をコールして実行する。
ステップＳ１５０では、制御部６６は、他の部屋＃Ｒｊからキー＃Ｋｉが退室か否かを判断する。他の部屋＃Ｒｊからキー＃Ｋｉが退室した場合はステップＳ１５５に進む。一方、他の部屋＃Ｒｊからキー＃Ｋｉが退室していない場合はステップＳ１４５に戻る。
【００２６】
ステップＳ１５５では、制御部６６は、部屋＃Ｒｉから退室したことを表す「○」マークを表示制御部６８を介して表示部５２に表示する。
ステップＳ１６０では、制御部６６は、他の部屋＃Ｒｊからキー＃Ｋｉが退室したことを表す「○」マークを表示制御部６８を介して表示部５２に表示する。
ステップＳ１６５では、制御部６６は、他の部屋＃ＲｉのＩＣチップ読取装置２０（＃Ｒｉ）に復帰を表す正常信号を送信する。鍵情報管理装置６０から正常信号を受信したＩＣチップ読取装置２０（＃Ｒｉ）は、正常信号（ＯＦＦ）をブザー５１に出力して報知音を停止する。
このように、ＩＣチップ読取装置２０が異常状態から正常状態に復帰したことを、ブザー５１からの報知音が停止したことにより確認することができる。
【００２７】
＜受信処理＞
図７を参照して、本発明の第１実施形態に係る受信処理について説明する。図７は、本発明の第１実施形態に係る鍵情報管理装置の受信処理について説明するためのサブルーチンフローチャートである。
ステップＳ２００では、制御部６６は、受信待機処理として、ＩＣチップ読取装置２０からのデータ受信を待機する。
ステップＳ２０５では、制御部６６は、着信ありか否かを判断する。着信がある場合はステップＳ２１０に進む。一方、着信がない場合はステップＳ２００に戻る。
ステップＳ２１０では、制御部６６は、ＩＣチップ読取装置からデータ（＃Ｋ，＃Ｒ）を受信する。
ステップＳ２１５では、制御部６６は、タイマ４４から現在の時刻ｔを読み出す。
ステップＳ２２０では、制御部６６は、データ（＃Ｋ，＃Ｒ）に時刻ｔを付加してデータ（＃Ｋ，＃Ｒ，ｔ）を履歴記憶部４６に記憶させる。
【００２８】
＜入退室例＞
図８（ａ）（ｂ）を参照して、本発明の第１実施形態に係る入退室例について説明する。図８（ａ）は、各時刻における部屋に実際にあるキーを示す表である。
図８（ａ）には、実際に部屋＃Ｒ１、＃Ｒ２に入退室するキー＃Ｋ１、＃Ｋ２についての時刻毎の状態が表されている。
時刻ｔ０では、室外にキー＃Ｋ１、＃Ｋ２がある。
時刻ｔ１では、室外にキー＃Ｋ２があり、部屋＃Ｒ１にキー＃Ｋ１がある。
時刻ｔ２では、室外にキー＃Ｋ１、＃Ｋ２がある。
時刻ｔ３では、室外にキー＃Ｋ２があり、部屋＃Ｒ２にキー＃Ｋ１がある。
時刻ｔ４では、室外にキーがなく、部屋＃Ｒ２にキー＃Ｋ１、＃Ｋ２がある。
【００２９】
図８（ｂ）は履歴記憶部４６に記憶されている受信データを表す履歴データである。
時刻ｔ０では、履歴記憶部４６が初期状態である。
時刻ｔ１では、データ（１，１，ｔ１）を受信したことを履歴記憶部４６が記憶する。実際の状態では、キー＃Ｋ１を用いて部屋＃Ｒ１を解錠して入室した状態である。
時刻ｔ２では、データを受信しておらず、履歴記憶部４６に受信記憶がない。しかし、実際の状態では、キー＃Ｋ１を所持した人物が部屋＃Ｒ１から退室した状態である。この時、部屋＃Ｒ１に設置されたＩＣチップ読取装置２０において、キー＃Ｋ１の読み取りミスが発生した場合を想定する。
時刻ｔ３では、データ（１，２，ｔ３）を受信したことを履歴記憶部４６が記憶する。実際の状態では、キー＃Ｋ１を所持した人物が部屋＃Ｒ２を解錠して入室した状態である。この時、表示部５２では部屋＃Ｒ１、＃Ｒ２に「●」マークと「○」マークの交互点滅表示を行う。
時刻ｔ４では、データ（１，２，ｔ４）を受信したことを履歴記憶部４６が記憶する。実際の状態では、キー＃Ｋ２を所持した人物が部屋＃Ｒ２を施錠して退室した状態である。この時、表示部５２では部屋＃Ｒ１、＃Ｒ２に「○」マークの表示を行う。
【００３０】
＜入退室表示例＞
図９（ａ）（ｂ）（ｃ）を参照して、本発明の第１実施形態に係る入退室表示例について説明する。図９（ａ）（ｂ）（ｃ）は、各時刻における部屋のＩＣチップ読取装置の正常状態／異常状態を示す表示例である。
図９（ａ）では、鍵情報管理装置６０は、時刻ｔ１において部屋＃Ｒ１に「●」マークの表示を行う。
図９（ｂ）では、鍵情報管理装置６０は、時刻ｔ３において部屋＃Ｒ１、＃Ｒ２に「●」マークと「○」マークの交互点滅表示を行う。
図９（ｃ）では、鍵情報管理装置６０は、時刻ｔ４において部屋＃Ｒ１、＃Ｒ２に「○」マークの表示を行う。
【００３１】
このように、ネットワークＮが通信可能状態にある場合に、ある部屋に当該部屋のキーが入室した状態から、当該部屋のキーが他の部屋に入室した状態に変更されたときに、ＩＣチップ読取装置２０が読取異常状態になったことと判定することで、当該部屋のＩＣチップ読取装置２０が読取異常状態であることをマークにより報知することができる。この結果、当該部屋のＩＣチップ読取装置２０の信頼性が低下していることを確認することができる。
【００３２】
＜第２実施形態＞
本発明の第２実施形態に係る鍵情報管理装置は、第１実施形態において説明した図１〜図５に示す技術的事項に適用することとする。
＜メインフローチャート＞
図１０を参照して、本発明の第２実施形態に係る鍵情報管理装置の動作について説明する。図１０は、本発明の第２実施形態に係る鍵情報管理装置の動作を表すメインフローチャートである。
第１実施形態では、ネットワークＮが通信可能状態にある場合に、ある部屋に当該部屋のキーが入室した状態から、当該部屋のキーが他の部屋に入室した状態に変更されたときに、ＩＣチップ読取装置２０が読取異常状態になったことと判定することについて説明した。
これに対して、第２実施形態では、各ＩＣチップ読取装置２０が読取異常状態であると判定された場合に、各ＩＣチップ読取装置２０が異常状態になった回数値を計数し、回数値が所定の基準値を超えた場合に、当該ＩＣチップ読取装置２０の読取能力を１段階広く設定する旨のメッセージを表示することを特徴とする。
図１０において、ステップＳ１０では、制御部６６は、初期化処理としてＲＡＭ６６ｃ、タイマ６６ｄ、カウントテーブルをクリアする。
ステップＳ２０では、制御部６６は、キー＃Ｋ１〜＃Ｋｎ入退室管理処理のサブルーチン（図１１）をコールして実行する。なお、ステップＳ２０では並列処理を実行する。
ステップＳ３００では、制御部６６は、カウンタテーブル上のカウント値が基準値を超える部屋＃Ｒｉを抽出する。
【００３３】
ステップＳ３１０では、制御部６６は、カウント値が基準値を超え読取能力が低下した部屋があるか否かを判断する。読取能力が低下した部屋がある場合にはステップＳ３２０に進む。一方、読取能力が低下した部屋がない場合にはステップＳ３０に進む。
ステップＳ３２０では、制御部６６は、部屋＃Ｒｉに配置されているＩＣチップ読取装置２０のレンジ切替えを促すメッセージを表示制御部６８を介して表示部５２に表示する。このメッセージとしては、ＩＣチップ読取装置のレンジを１段階広く読み取れるレンジに切り替えることを促すメッセージであればよい。
ステップＳ３０では、制御部６６は、操作部６４を介して終了ボタンの押し下げを検出することで、処理を終了するか否かを判断する。ユーザによる操作がなく、処理を継続する場合はステップＳ２０に戻る。
【００３４】
＜キー＃Ｋｉ入退室管理処理＞
図１１を参照して、本発明の第２実施形態に係るキー＃Ｋｉ入退室管理処理について説明する。図１１は、本発明の第２実施形態に係る鍵情報管理装置のキー＃Ｋｉ入退室管理処理を表すサブルーチンフローチャートである。なお、本実施形態では、図１１に示すステップＳ１００〜Ｓ１６５までの処理は、第１実施形態における図６に示すフローチャートのステップＳ１００〜Ｓ１６５と同様の内容であるので、その説明を省略する。
ステップＳ１４０では、制御部６６は、部屋＃ＲｉのＩＣチップ読取装置２０（＃Ｒｉ）に読み取り異常を表す異常信号を送信する。鍵情報管理装置６０から異常信号を受信したＩＣチップ読取装置２０（＃Ｒｉ）は、異常信号をブザー５１に出力して報知音を発生する。
ステップＳ３５０では、制御部６６は、カウントテーブル上の部屋＃Ｒｉのカウンタをインクリメントする。なお、表１は部屋＃Ｒｉとカウンタ値との対応を表す表である。
【００３５】
【表１】
0006701692.tif 000002
【００３６】
このように、ＩＣチップ読取装置２０の読取能力を１段階広く設定する旨のメッセージを目視確認した所員が、当該ＩＣチップ読取装置２０の読取能力を１段階広く設定することができる。この結果、ＩＣチップ読取装置２０の信頼性を回復することができる。
【００３７】
＜第３実施形態＞
本発明の第３実施形態に係る鍵情報管理装置は、第１実施形態において説明した図１〜図５に示す技術的事項に適用することとする。
第１実施形態では、ネットワークＮが通信可能状態にある場合に、ある部屋に当該部屋のキーが入室した状態から、当該部屋のキーが他の部屋に入室した状態に変更されたときに、ＩＣチップ読取装置２０が読取異常状態になったことと判定することで、当該部屋のＩＣチップ読取装置２０が読取異常状態であることをマークにより報知し、この結果、当該部屋のＩＣチップ読取装置２０の信頼性が低下していることを確認することができた。
これに対して、第３実施形態では、外部から供給される交流電源ＡＣ２が停電中にネットワークＮが通信不能状態になった場合に、鍵情報管理装置６０が検索処理を行うことを特徴とする。
【００３８】
＜検索処理＞
停電時における鍵情報管理装置６０による検索処理について説明する。
鍵情報管理装置６０には、電源バックアップ装置としてバッテリＢｔ２が接続されている。停電時にバッテリＢｔ２から供給される電力を利用すると、数時間から数日の停電時でも鍵情報管理装置６０が動作することとする。なお、停電時には通信系統であるネットワークＮが非動作状態になっていることとする。
【００３９】
図１２を参照して、本発明の第３実施形態に係る鍵情報管理装置の動作について説明する。図１２は、本発明の第３実施形態に係る鍵情報管理装置の動作を表すフローチャートである。
ステップＳ４０５では、制御部６６は、検索を所望するキー＃Ｋｉの入力を促すメッセージを表示制御部６８を介して表示部５２に表示する。
ステップＳ４１０では、制御部６６は、操作部６４を介してキー＃Ｋｉを入力する。
ステップＳ４１５では、制御部６６は、履歴記憶部４６に記憶されている受信履歴データからキー＃Ｋｉの直近（現時点から最も時間的に近い）の立ち寄り部屋を検索する。
ステップＳ４２０では、制御部６６は、表示制御部６８を介して表示部５２に対して、直近でキー＃Ｋｉが存在した部屋を最大輝度Ｌｍａｘで表示し、それ以前に立ち寄った部屋を最大輝度の１／２の輝度Ｌｍａｘ／２で表示する。
【００４０】
図１３を参照して、本発明の第３実施形態に係る鍵情報管理装置の入退室表示例について説明する。図１３は、本発明の第３実施形態に係る鍵情報管理装置の入退室表示例を示す図である。
図１３には、キー＃Ｋｉの直近の立ち寄り部屋を最大輝度Ｌｍａｘで表示し、それ以前に立ち寄った部屋を最大輝度の１／２の輝度Ｌｍａｘ／２で表示したことが表されている。
このように、停電中にネットワークＮが通信不能状態になった場合でも、ネットワークＮが通信不能状態になる直前までのキーの移動先を検知することができる。
【００４１】
＜第４実施形態＞
本発明の第４実施形態に係るＩＣチップ読取装置２０は、第１実施形態において説明した図１〜図５に示す技術的事項に適用することとする。
第３実施形態では、停電中にネットワークＮが通信不能状態になった場合でも、ネットワークＮが通信不能状態になる直前までのキーの移動先を検知した。
これに対して、第４実施形態では、外部から供給される交流電源ＡＣ１が停電中にネットワークＮが通信不能状態になった場合に、ＩＣチップ読取装置２０が表示処理を行うことを特徴とする。
【００４２】
＜表示処理＞
停電時におけるＩＣチップ読取装置２０による表示処理について説明する。
図１４を参照して、本発明の第３実施形態に係るＩＣチップ読取装置の動作について説明する。図１４は、本発明の第３実施形態に係るＩＣチップ読取装置の動作を表すフローチャートである。
ステップＳ５０５では、制御部４２は、電源部５０を介して外部から供給される交流電源ＡＣ１の電圧、又はバッテリＢｔ１から供給される電流を検出する。
ステップＳ５１０では、制御部４２は、停電か否かを判断する。ここで、外部から供給される交流電源ＡＣ１の電圧が０Ｖであり、バッテリＢｔ１から供給される電流が所定の電流値よりも大きい場合に、停電時におけるバックアップ動作に切り替わったことと判断する。制御部４２は、停電である場合にステップＳ５１５に進む。一方、停電ではない場合にステップＳ５０５に戻る。
【００４３】
ステップＳ５１５では、制御部４２は、読取処理を行う。
すなわち、電磁波発信部３８は、特定の周波数の電磁波を発振して送信アンテナ２８から周囲エリアに送信する。
送信アンテナ２８の周囲エリアにＩＣチップ１２が装着されたキー１０がある場合、ＩＣチップ１２は、特定の周波数の電磁波を受け取ると、電磁波から電力を取得して内部電源とし、内部電源が供給されている間にキー番号＃１〜＃６を含む電磁波を発生して周囲に送信する。
データ受信部４０は、ＩＣチップ１２から受信アンテナ３０を介して受信した電磁波を検波してＯＮ／ＯＦＦ信号に変換し、さらにＯＮ／ＯＦＦのパターンに基づいてデータを復調する。データ受信部４０は、ＩＣチップ１２からキー番号を含む電磁波を受信した場合、そのキー番号を制御部４２に出力する。
制御部４２は、ＩＣチップ１２から取得したキー番号を表示部２２に表示する。
ステップＳ５２０では、制御部４２は、ＩＣチップから読み取ったキー＃Ｋｉに読取時刻を付加して履歴データとして記憶する。
ステップＳ５２５では、制御部４２は、履歴データを表示部２２に表示する。次いで、ステップＳ５０５に戻る。
【００４４】
図１５を参照して、本発明の第４実施形態に係る入退室時の履歴データの表示例について説明する。図１５は、本発明の第４実施形態に係る入退室時の履歴データを表す表示例を示す図である。
図１４に示すステップＳ５２５では、履歴データを表示部２２に表示することが記載されている。詳しくは、履歴データとして、キー番号、そのキーの入退室日、読取時刻（時分）が表示部２２に表示される。
停電中にネットワークＮが通信不能状態になった場合でも、ＩＣチップ読取装置２０の表示部２２に表示されている履歴データとして、キー番号、そのキーの入退室日、読取時刻（時分）を目視確認してキーの所在を知ることができる。
また、災害が発生した際に、施設内にいる連絡のとれない人（意識不明等）の所在を知ることができ、迅速な救助活動を行うことができる。
さらに、キーを紛失した場合には、例えば、部屋のドア付近の壁に配置してあるＩＣチップ読取装置２０を壁から取り外すことで、ＩＣチップ読取装置２０を持ち運びでき、その部屋内のどこにキーがあるかをより詳細に調べることができ、迅速な救助活動を行うことができる。
【００４５】
このように、停電中にネットワークＮが通信不能状態になった場合でも、各ＩＣチップ読取装置２０は、ＩＣチップ１２から読み取ったキー番号を表示することができ、ネットワークＮが通信不能状態になった後のキーの入室又は退室の時刻を表示して報知することができる。
【００４６】
＜本発明の実施態様例の構成、作用、効果＞
＜第１態様＞
本態様の鍵探知システム１は、部屋のドア毎に設けられた錠を解錠及び施錠するために用いるキー１０と、各キー１０に取り付けられ、固有のキー番号を記憶するＩＣチップ１２と、各部屋のドア付近に配置され、ＩＣチップ１０からキー番号を読み取るとともに、当該キー番号に部屋番号を付加してネットワークＮに送信するＩＣチップ読取装置２０と、各ＩＣチップ読取装置２０からネットワークＮを介して受信したキー番号及び部屋番号に基づいて、各部屋の間取り図にキーの所在を表示する鍵情報管理装置６０と、を備え、鍵情報管理装置６０は、ネットワークＮが通信可能状態である場合に、各ＩＣチップ読取装置２０から受信したキー番号及び部屋番号に受信時刻を付加して受信履歴データとして記憶するＲＡＭ６６ｃ（受信履歴記憶手段）と、交流電源が停電した場合に直流電力を供給するバッテリＢｔ２と、停電中にネットワークＮが通信不能状態になった場合に、キー番号を入力する操作部６４（入力手段）と、操作部６４により入力されたキー番号に基づいて、ＲＡＭ６６ｃに記憶されている受信履歴データから最新の当該キー番号に係わるキーが所在する部屋番号を検索する制御部６６（検索手段）と、を備え、制御部６６は、間取り図中の当該キー番号に係わるキーが所在する部屋に所在状態を表すマークを表示するように制御することを特徴とする。
【００４７】
本態様によれば、鍵情報管理装置６０は、ネットワークＮが通信可能状態である場合に、ＲＡＭ６６ｃが各ＩＣチップ読取装置２０から受信したキー番号及び部屋番号に受信時刻を付加して受信履歴データとして記憶する。交流電源が停電した場合にバッテリＢｔ２が直流電力を供給する。停電中にネットワークＮが通信不能状態になった場合に、操作部６４がキー番号を入力する。制御部６６が操作部６４により入力されたキー番号に基づいて、ＲＡＭ６６ｃに記憶されている受信履歴データから最新の当該キー番号に係わるキーが所在する部屋番号を検索する。制御部６６は、間取り図中の当該キー番号に係わるキーが所在する部屋に所在状態を表すマークを表示するように制御する。
これにより、停電中にネットワークＮが通信不能状態になった場合でも、ネットワークＮが通信不能状態になる直前までのキーの移動先を検知することができる。
【００４８】
＜第２態様＞
本態様の各ＩＣチップ読取装置２０は、交流電源が停電した場合に直流電力を供給するバッテリＢｔ１と、停電中にネットワークＮが通信不能状態になった場合に、ＩＣチップ１２からキー番号を読み取ったときに、当該キー番号に読取時刻を付加して履歴データとして記憶する履歴記憶部４６と、停電中に、履歴記憶部４６から取得した履歴データを表示部２２に表示ように制御する制御部６６（制御手段）と、を備えたことを特徴とする。
本態様によれば、各ＩＣチップ読取装置２０は、交流電源が停電した場合にバッテリＢｔ１が直流電力を供給する。停電中にネットワークＮが通信不能状態になった場合に、ＩＣチップ１２からキー番号を読み取ったときに、履歴記憶部４６が当該キー番号に読取時刻を付加して履歴データとして記憶する。停電中に、制御部６６が履歴記憶部４６から取得した履歴データを表示部２２に表示ように制御する。
これにより、停電中にネットワークＮが通信不能状態になった場合でも、各ＩＣチップ読取装置２０は、ＩＣチップ１２から読み取ったキー番号を表示することができ、ネットワークＮが通信不能状態になった後のキーの入室又は退室の時刻を表示して報知することができる。
【００４９】
＜第３態様＞
本態様の鍵情報管理装置６０は、各ＩＣチップ読取装置２０から受信したキー番号及び部屋番号に基づいて、ある部屋に当該部屋のキーが入室した状態である場合に、当該部屋のキーが他の部屋に入室した状態に変更されたときに、当該部屋にあるＩＣチップ読取装置２０が読取異常状態であると判定する制御部６６（異常状態判定手段）と、間取り図中の読取異常状態である部屋に読取異常状態を表すマークを表示部２２に表示するように制御する制御部６６（制御手段）と、を備えたことを特徴とする。
本態様によれば、鍵情報管理装置６０は、制御部６６が各ＩＣチップ読取装置２０から受信したキー番号及び部屋番号に基づいて、ある部屋に当該部屋のキーが入室した状態である場合に、当該部屋のキーが他の部屋に入室した状態に変更されたときに、当該部屋にあるＩＣチップ読取装置２０が読取異常状態であると判定する。制御部６６が間取り図中の読取異常状態である部屋に読取異常状態を表すマークを表示部２２に表示するように制御する。
これにより、ネットワークＮが通信可能状態にある場合に、ある部屋に当該部屋のキーが入室した状態から、当該部屋のキーが他の部屋に入室した状態に変更されたときに、ＩＣチップ読取装置２０が読取異常状態になったことと判定することで、当該部屋のＩＣチップ読取装置２０が読取異常状態であることをマークにより報知することができる。この結果、当該部屋のＩＣチップ読取装置２０の信頼性が低下していることを確認することができる。
【００５０】
＜第４態様＞
本態様の鍵情報管理装置６０は、制御部６６（異常状態判定手段）が読取異常状態であると判定した場合に、ＩＣチップ読取装置２０に異常信号を送信する通信部６２（送信手段）を備え、ＩＣチップ読取装置２０は、鍵情報管理装置６０から異常信号を受信したときに、当該装置が読取異常状態にあることを報知するブザー５１（報知手段）を備えることを特徴とする。
本態様によれば、鍵情報管理装置６０は、制御部６６が読取異常状態であると判定した場合に、通信部６２がＩＣチップ読取装置２０に異常信号を送信する。一方、ＩＣチップ読取装置２０は、鍵情報管理装置６０から異常信号を受信したときに、ブザー５１が当該装置が読取異常状態にあることを報知する。
これにより、ＩＣチップ読取装置２０が異常状態にあることをブザー５１からの報知音により確認することができる。
【００５１】
＜第５態様＞
本態様の鍵情報管理装置６０は、制御部６６（異常状態判定手段）が読取異常状態から正常状態に復帰したと判定した場合に、ＩＣチップ読取装置２０に正常信号を送信する通信部６２（送信手段）を備え、ＩＣチップ読取装置２０は、鍵情報管理装置６０から正常信号を受信したときに、ブザー５１による報知を停止することを特徴とする。
本態様によれば、鍵情報管理装置６０は、制御部６６が読取異常状態から正常状態に復帰したと判定した場合に、通信部６２がＩＣチップ読取装置２０に正常信号を送信する。一方、ＩＣチップ読取装置２０は、鍵情報管理装置６０から正常信号を受信したときに、ブザー５１による報知を停止する。
これにより、ＩＣチップ読取装置２０が異常状態から正常状態に復帰したことを、ブザー５１からの報知音が停止したことにより確認することができる。
【００５２】
＜第６態様＞
本態様の鍵情報管理装置６０は、制御部６６（異常状態判定手段）によりＩＣチップ読取装置２０が読取異常状態であると判定された場合に、ＩＣチップ読取装置２０が異常状態になった回数値を計数する制御部６６（計数手段）を備え、制御部６６（制御手段）は、回数値が所定の基準値を超えた場合に、ＩＣチップ読取装置２０の読取能力を１段階広く設定する旨のメッセージを表示制御部６８を介して表示部５２に表示することを特徴とする。
本態様によれば、鍵情報管理装置６０は、制御部６６によりＩＣチップ読取装置２０が読取異常状態であると判定された場合に、制御部６６が、ＩＣチップ読取装置２０が異常状態になった回数値を計数する。制御部６６は、回数値が所定の基準値を超えた場合に、ＩＣチップ読取装置２０の読取能力を１段階広く設定する旨のメッセージを表示制御部６８を介して表示部５２に表示する。
これにより、ＩＣチップ読取装置２０の読取能力を１段階広く設定する旨のメッセージを目視確認した所員が、当該ＩＣチップ読取装置２０の読取能力を１段階広く設定することができる。この結果、ＩＣチップ読取装置２０の信頼性を回復することができる。
【符号の説明】
【００５３】
１…鍵探知システム、１０…キー、１２…ＩＣチップ、２０…ＩＣチップ読取装置、２２…表示部、２４…レンジ変更ＳＷ、２６…ブザー、２８…送信アンテナ、３０…受信アンテナ、３２…電源端子、３４…通信端子、３６…電源スイッチ、３８…電磁波発信部、４０…データ受信部、４２…制御部、４４…タイマ、４６…履歴記憶部、４８…通信部、５０…電源部、５１…ブザー、５２…表示部、６０…鍵情報管理装置、６２…通信部、６４…操作部、６６…制御部、６６ａ…ＣＰＵ、６６ｂ…ＲＯＭ、６６ｃ…ＲＡＭ、６６ｄ…タイマ、６８…表示制御部、７０…電源部、ＡＣ１、ＡＣ２…交流電源、Ｂｔ１、Ｂｔ２…バッテリ
【図１】
0006701692.tif 000003
【図２】
0006701692.tif 000004
【図３】
0006701692.tif 000005
【図４】
0006701692.tif 000006
【図５】
0006701692.tif 000007
【図６】
0006701692.tif 000008
【図７】
0006701692.tif 000009
【図８】
0006701692.tif 000010
【図９】
0006701692.tif 000011
【図１０】
0006701692.tif 000012
【図１１】
0006701692.tif 000013
【図１２】
0006701692.tif 000014
【図１３】
0006701692.tif 000015
【図１４】
0006701692.tif 000016
【図１５】
0006701692.tif 000017